(57)【要約】【課題】  １台のモニタに複数の情報処理装置を接続する場合に、複数の情報処理装置からの表示データに対して自動調整を行い、モニタに常に最適表示させることができる表示データ切替装置および表示モニタを提供する。【解決手段】  本発明の表示データ切替装置および表示モニタは、接続する情報処理装置や表示データ種別ごとにモニタの表示調整情報の最適化情報を記憶し、接続する情報処理装置や表示データ種別に応じて前記記憶された最適化情報によりモニタを設定し、表示調整情報の最適化情報が記録されていない場合には、モニタの表示調整機能により表示データを調整して、表示調整情報を前記記憶手段に登録するようにした。【選択図】図１
2006227033.tif 000002
【特許請求の範囲】
【請求項１】
表示データの表示調整機能を有する表示モニタと前記表示モニタに表示データを出力する複数の情報処理装置を切替えて接続するモニタ切替装置において、
接続する情報処理装置ごとの表示調整情報の最適化情報を記憶する記憶手段を備えて、接続する情報処理装置に応じて表示調整情報の最適化情報を前記モニタに出力するとともに、
前記記憶手段に接続する情報処理装置に対応する表示調整情報の最適化情報がない場合には、前記表示モニタから表示調整情報の最適化情報を取得して前記記憶手段に登録することを特徴とする表示モニタ切替装置。
【請求項２】
表示データの表示調整機能を有し、かつ、複数の情報処理装置の表示データを切替えて表示可能なモニタ装置であって、
表示データの種別情報を入力する手段と、前記表示データの種別情報ごとの表示調整情報の最適化情報を記憶する記憶手段とを備えて、前記表示データの種別情報に応じて前記憶手段の最適化情報によって当該モニタの表示設定をおこない、
前記記憶手段に表示データの種別情報に対応する表示調整情報の最適化情報がない場合には、当該モニタの表示調整機能により表示データを調整して、表示調整情報を前記記憶手段に登録することを特徴とするモニタ装置。
【発明の詳細な説明】
【技術分野】
【０００１】
本発明は、複数の情報処理装置からの表示データを切替えて、ひとつの表示装置に表示をおこなう切替器に関する。
【背景技術】
【０００２】
情報処理装置の表示装置（モニタ）は、一般的に、情報処理装置からの表示データをボタン操作等で自動調整する機能をもっている。これらの機能は、情報処理装置とモニタの１対１で接続する前提でおこなわれ、情報処理装置からの表示データに対して、モニタに最適に表示されるような調整を自動で行うことにより、表示データの最適なモニタ表示が可能とするものである。このような技術の例として、特許文献１がある。
【０００３】
【特許文献１】特開２００３−１３１６４１号公報
【発明の開示】
【発明が解決しようとする課題】
【０００４】
複数の情報処理装置をひとつのモニタに接続する場合、情報処理装置とモニタを接続するケーブル長及び情報処理装置側の表示ボードの特性によってインピーダンスが異なるため、表示データの伝送状態が変わり、モニタ調整の最適化情報が異なる。
モニタ調整は、情報処理装置とモニタの接続のたびにおこなわれるため、１組の構成において表示を最適にする調整を行った後に、他の情報処理装置に接続切替した場合には、切替えるたびにモニタ調整をおこなう必要があった。
【０００５】
本発明は、複数の情報処理装置とモニタを切替えても、モニタ調整を容易におこない、モニタを常に最適表示できる表示モニタ切替器やモニタ装置を提供することにある。
【課題を解決するための手段】
【０００６】
上記課題を解決するために、本発明の表示データの表示調整機能を有する表示モニタと前記表示モニタに表示データを出力する複数の情報処理装置を切替えて接続するモニタ切替装置は、接続する情報処理装置ごとの表示調整情報の最適化情報を記憶する記憶手段を備えて、接続する情報処理装置に応じて表示調整情報の最適化情報を前記モニタに出力するとともに、前記記憶手段に接続する情報処理装置に対応する表示調整情報の最適化情報がない場合には、前記表示モニタから表示調整情報の最適化情報を取得して前記記憶手段に登録するようにした。
【０００７】
また、本発明のモニタ装置は、表示データの表示調整機能を有し、かつ、複数の情報処理装置の表示データを切替えて表示可能なモニタ装置であって、表示データの種別情報を入力する手段と、前記表示データの種別情報ごとの表示調整情報の最適化情報を記憶する記憶手段とを備えて、前記表示データの種別情報に応じて前記憶手段の最適化情報によって当該モニタの表示設定をおこない、前記記憶手段に表示データの種別情報に対応する表示調整情報の最適化情報がない場合には、当該モニタの表示調整機能により表示データを調整して、表示調整情報を前記記憶手段に登録するようにした。
【発明の効果】
【０００８】
複数の情報処理装置が接続されても、常に各情報処理装置の表示データに応じた最適なモニタ表示を行うことができる。また、各情報処理装置別に情報が保持できることにより手動設定値も保持でき、各情報処理装置の用途別による、表示データの微調整を反映させることができる。
【発明を実施するための最良の形態】
【０００９】
以下に本発明の実施の形態を説明する。
【実施例１】
【００１０】
本発明の切替器は、複数の情報処理装置からの表示データを排他的に切替えてモニタに表示データを出力する機能を備える。表示データに応じて自動調整をおこなうタイミングを切替器からの切替情報をトリガにして自動で調整動作を開始する。各情報処理装置からの表示データを最適に表示させるための情報を保持する記憶領域を持ち、自動調整後に手動で調整した設定値を保持できる。
【００１１】
以下、図面を用いて本発明の実施例について説明する。図１は実施例１に係る表示データ切替器を含む構成の一例である。切替器２００は各情報処理装置からの表示データに対して切替部２０３により選択を行い、選択されたポートに入力される情報処理装置からの表示データをモニタに渡す。モニタは受け取った表示データをＡ／Ｄ変換部３０１により変換し、自動調整部３０２が変換後の表示データに対して表示データがモニタに最適に表示されるように調整を行い、表示部３０３が調整後の表示データを表示する。
【００１２】
切替器２００には表示データを最適にモニタ表示させるための最適化情報を保持しておく記憶領域２０２があり、切替器２００に接続されている情報処理装置別に最適化情報を保持できる。その記憶領域２０２は切替部２０３により選択されたポートごとに最適化情報を記憶しておく。切替器２００とモニタ３００とはＤＤＣのＩ／Ｆでデータのやり取りを行う。ＤＤＣのＩ／Ｆを利用して切替器２００の切替ポート情報及びモニタ３００に入力される表示データについての最適化情報をやり取りすることにより、切替器２００の記憶領域２０２に各情報処理装置の表示データ別の最適化情報を保持する。
【００１３】
図２は実施例１に係る表示データ切替器を含む構成での動作フローである。切替部２０３により選択された表示データがモニタ表示されるまでを説明する。ステップ４００で切替器２００において切替部２０３により表示データが入力されるポートの選択が行われると、ステップ４０１で切替器２００の記憶領域２０２において切替部２０３により選択されたポートにあたる領域に最適化情報が存在するかどうか確認し、存在しない場合にはステップ４０３で選択されたポート情報及び表示データをモニタ３００に渡す。存在する場合にはステップ４０２で選択されたポートの表示データ及び記憶されていた最適化情報をモニタ３００に渡す。
【００１４】
次にモニタ３００においてモニタ３００に入力される情報のうちで最適化情報がヌル（無）である場合、モニタ３００はポート情報と表示データを受け取り、モニタ３００の自動調整部３０２がステップ４０６で入力された表示データに対して自動調整を行い、ステップ４０８で調整されたデータを表示部３０３がモニタ表示すると同時にステップ４０７で調整時の最適化情報及びポート情報を切替器２００に渡す。
【００１５】
モニタ３００に入力される情報に最適化情報が含まれる場合、モニタ３００はステップ４０５でその最適化情報を用いて表示データに調整を行い、ステップ４０８でモニタ表示する。切替器２００においては表示データの入力状態を常に監視しておき、入力が途絶えたポートにあたる記憶領域に記憶されている最適化情報を消去することにより、同じポートに異なる情報処理装置からの表示データが入力し直された場合にも、その表示データを最適にモニタ表示させることができる。
【実施例２】
【００１６】
本発明のモニタは、入力される表示データに対して表示データがモニタに最適に表示されるような自動調整を行う。切替器により切替えられた情報処理装置からの表示データに対して自動調整を行い、調整時の最適化情報を切替えた表示データ別に複数記憶させておく記憶領域を持ち、記憶されている複数の最適化情報のなかから該当する最適化情報を選択して、選択した最適化情報を用いて入力される表示データに対して調整を行う機能を備える。
【００１７】
以下、図面を用いて本発明の実施例について説明する。図３は実施例２に係るモニタを含む構成の一例である。切替器２００は各情報処理装置からの表示データに対して切替部２０３により選択を行い、選択されたポートに入力される情報処理装置からの表示データをモニタ３００に渡す。
【００１８】
モニタ３００は受け取った表示データをＡ／Ｄ変換部３０１により変換し、自動調整部３０２が変換後の表示データに対して表示データがモニタに最適に表示されるように調整を行い、調整後の表示データを表示部３０３が表示する。モニタ３００には表示データを最適にモニタ表示させるための最適化情報を保持しておく記憶領域３０４があり、切替器２００がもつポート別に最適化情報を保持できる。切替器２００とモニタ３００とはＤＤＣのＩ／Ｆでデータのやり取りを行う。ＤＤＣのＩ／Ｆを利用して切替器２００の切替ポート情報をやり取りすることにより、モニタ３００の記憶領域３０４に各情報処理装置からの表示データ別の最適化情報を保持する。
【００１９】
図４は実施例２に係るモニタを含む構成での動作フローである。切替部２０３により選択された表示データがモニタ表示されるまでを説明する。ステップ４０９で切替器２００において切替部２０３により表示データが入力されるポートの選択が行われると、ステップ４１０で切替器２００は選択されたポート情報及び表示データをモニタ３００に渡す。ステップ４１１でモニタ３００はポート情報を受け取り、そのポートにあたる記憶領域に最適化情報が存在するかどうか調べ、存在する場合ステップ４１２でその最適化情報を用いて入力される表示データに対して自動調整部３０２が調整を行い、ステップ４１５で表示部３０３がモニタ表示する。ポートにあたる記憶領域に最適化情報が存在しない場合ステップ４１３で入力される表示データに対して自動調整を行い、ステップ４１４で調整時の最適化情報及びポート情報を記憶領域３０４に保持し、ステップ４１５で調整された表示データをモニタ表示する。
【００２０】
切替器２００においては表示データの入力状態を常に監視しておき、入力が途絶えたポートについてのポート情報及びリセット情報をモニタ３００に渡す。モニタ３００はその情報を受け取り、受け取ったポート情報にあたる記憶領域に記憶されている最適化情報を消去することにより、同じポートに異なる情報処理装置からの表示データが入力し直された場合にも、その表示データを最適にモニタ表示させることができる。
【図面の簡単な説明】
【００２１】
【図１】図1は、実施例１に係る切替器を含む構成の一例をしめす図である。
【図２】図２は、実施例１に係る表示データ切替器を含む構成での動作フロー図である。
【図３】図３は、実施例２に係るモニタを含む構成の一例をしめす図である。
【図４】図４は、実施例２にモニタを含む構成での動作フロー図である。
【符号の説明】
【００２２】
１００…情報処理装置、２００…切替器、２０１…切替器入力ポート、
２０２…記憶領域、２０３…切替部、３００…モニタ、３０１…Ａ／Ｄ変換部、
３０２…自動調整部、３０３…表示部、３０４…記憶領域、
４００〜４１５…動作フロー
【図１】
2006227033.tif 000003
【図２】
2006227033.tif 000004
【図３】
2006227033.tif 000005
【図４】
2006227033.tif 000006